(57)【要約】【課題】集合住宅での用途に応じて、所望の複数の電気機器を接続できる可能性の高い制御装置を提供する。【解決手段】制御装置３は、インターホン子機１とインターホン親機２との間で行われる通信を制御する制御部３０と、制御部３０に接続される複数のシリアルポート３１〜３４とを備える。インターホン子機１は、集合住宅の共用部に設置される。インターホン親機２は、集合住宅の住戸Ａ１に設置される。複数のシリアルポート３１〜３４は、切換ポート３３０を少なくとも一つ含む。切換ポート３３０は、第１通信規格に適合する第１電気機器７１と制御部３０との間の通信を許容する第１状態と、第１通信規格とは異なる第２通信規格に適合する第２電気機器７２と制御部３０との間の通信を許容する第２状態との間で切り換わる。【選択図】図１
2017208623.tif 000002
【特許請求の範囲】
【請求項１】
集合住宅の共用部に設置されるインターホン子機と前記集合住宅の住戸に設置されるインターホン親機との間で行われる通信を制御する制御部と、
前記制御部に接続される複数のシリアルポートと、
を備え、
前記複数のシリアルポートは、第１通信規格に適合する第１電気機器と前記制御部との間の通信を許容する第１状態と、前記第１通信規格とは異なる第２通信規格に適合する第２電気機器と前記制御部との間の通信を許容する第２状態との間で切り換わる切換ポートを少なくとも一つ含む
制御装置。
【請求項２】
前記複数のシリアルポートは、前記制御部と前記第１電気機器との間の通信のみを許容する第１固定ポートを少なくとも一つ含む
請求項１記載の制御装置。
【請求項３】
前記複数のシリアルポートは、
前記制御部と前記第１電気機器との間の通信のみを許容する第１固定ポートを少なくとも一つ含み、
前記制御部と前記第２電気機器との間の通信のみを許容する第２固定ポートを少なくとも一つ含む
請求項１記載の制御装置。
【請求項４】
前記切換ポートは、
前記第１電気機器が接続される第１コネクタと、
前記第２電気機器が接続される第２コネクタと、
前記第１コネクタに接続され、前記第１通信規格に従う信号と前記制御部が処理する信号との間の変換を行う第１変換器と、
前記第２コネクタに接続され、前記第２通信規格に従う信号と前記制御部が処理する信号との間の変換を行う第２変換器と、
前記制御部を、前記第１変換器と前記第２変換器とに択一的に接続するスイッチと、
を備える
請求項１〜３の何れか一項記載の制御装置。
【請求項５】
請求項１〜４の何れか一項記載の制御装置と、
前記インターホン子機と、
前記インターホン親機と、
前記制御装置と前記インターホン子機とを接続する第１伝送路と、
前記制御装置と前記インターホン親機とを接続する第２伝送路と、
を備えるインターホンシステム。
【発明の詳細な説明】
【技術分野】
【０００１】
本発明は、一般に制御装置、及びインターホンシステムに関し、特に、インターホン子機とインターホン親機との間で行われる通信を制御する制御装置、及びそれを備えたインターホンシステムに関する。
【背景技術】
【０００２】
特許文献１は、従来の集合住宅インターホン装置を開示する。この集合住宅インターホン装置は、共同玄関や共用ロビー等に設置される集合玄関機（インターホン子機）と、管理室に設置される管理室親機と、各住戸に設置されるインターホン親機と、制御装置とを備えている。制御装置は、集合玄関機、管理室親機、インターホン親機間の呼出、通話を制御する。制御装置は、居住者が留守のときに一時的に宅配物を格納する宅配ボックスに、伝送路を介して接続されている。また制御装置は、集合玄関機または各住戸のインターホン親機の解錠操作で自動開閉するオートドア等の扉に、別の伝送路を介して接続されている。
【先行技術文献】
【特許文献】
【０００３】
【特許文献１】特開２００６−２３８３０４号公報
【発明の概要】
【発明が解決しようとする課題】
【０００４】
特許文献１の集合住宅インターホン装置では、宅配ボックスやオートドアなどの電気機器が、伝送路を介して制御装置に接続されている。伝送路は通常、制御装置に設けられたシリアルポートにより、制御装置に接続される。
【０００５】
しかし、制御装置に接続される電気機器の通信規格は、１つには統一されていない場合がある。この場合、制御装置に対してどの通信規格に適合する電気機器を何台接続するかは、制御装置が設置される集合住宅での用途に応じて変わってくる。このため、場合によっては、ある通信規格のシリアルポートには空きがあるのに、他の通信規格のシリアルポートが不足する可能性がある。
【０００６】
本発明の目的は、集合住宅での用途に応じて、所望の複数の電気機器を接続できる可能性の高い制御装置、及びインターホンシステムを提供することである。
【課題を解決するための手段】
【０００７】
本発明の一態様に係る制御装置は、集合住宅の共用部に設置されるインターホン子機と前記集合住宅の住戸に設置されるインターホン親機との間で行われる通信を制御する制御部と、前記制御部に接続される複数のシリアルポートと、を備える。前記複数のシリアルポートは、切換ポートを少なくとも一つ含む。前記切換ポートは、第１通信規格に適合する第１電気機器と前記制御部との間の通信を許容する第１状態と、前記第１通信規格とは異なる第２通信規格に適合する第２電気機器と前記制御部との間の通信を許容する第２状態との間で切り換わる。
【０００８】
本発明の一態様に係るインターホンシステムは、前記制御装置と、前記インターホン子機と、前記インターホン親機と、前記制御装置と前記インターホン子機とを接続する第１伝送路と、前記制御装置と前記インターホン親機とを接続する第２伝送路と、を備える。
【発明の効果】
【０００９】
本発明は、集合住宅での用途に応じて、所望の複数の電気機器を接続できる可能性が高いという効果がある。
【図面の簡単な説明】
【００１０】
【図１】図１は、本発明の一実施形態に係る制御装置、及びインターホンシステムを示すブロック図である。
【図２】図２は、切換ポートが第２状態にある場合の、同上の制御装置を示すブロック図である。
【図３】図３Ａは、切換ポートが第１状態にある場合の同上の制御装置の要部を示す正面図であり、図３Ｂは、切換ポートが第２状態にある場合の同上の制御装置の要部を示す正面図である。
【発明を実施するための形態】
【００１１】
本発明の一実施形態に係る制御装置３、及びインターホンシステム１００について、図１、図２、図３Ａ、図３Ｂを参照して説明する。ただし、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１２】
本実施形態のインターホンシステム１００は、マンションなどの集合住宅に用いられるインターホンシステムである。図１に示すように、本実施形態のインターホンシステム１００は、インターホン子機１と、複数（図１の例では２つ）のインターホン親機２と、制御装置３と、第１伝送路４と、第２伝送路５と、を備えている。
【００１３】
なお、以下では、インターホン子機１を「子機１」、インターホン親機２を「親機２」と略称することがある。また、複数の親機２の構成及び機能は同等であるので、以下では、複数の親機２のうちの１つの親機２について構成及び機能を説明する。
【００１４】
子機１はロビーインターホンであって、集合住宅の共用部（たとえば共同玄関やロビー）に設置されている。子機１は、主に、集合住宅の住戸Ａ１への来訪者（たとえば宅配サービス業者や、住戸Ａ１の居住者の友人）により操作される。複数の親機２は、集合住宅の複数の住戸Ａ１内にそれぞれ設置されている。親機２は、主に、住戸Ａ１の居住者により操作される。制御装置３は、たとえば集合住宅の管理室に設置されている。
【００１５】
子機１は、第１伝送路４を介して制御装置３に接続されている。親機２は、第２伝送路５を介して制御装置３に接続されている。第１伝送路４及び第２伝送路５は、いずれもツイストペア線である。
【００１６】
第２伝送路５は、幹線５１と、幹線５１から分岐する複数（図１の例では２つ）の分岐線５２と、を含む。幹線５１は、制御装置３に接続されている。複数の分岐線５２は、複数の親機２にそれぞれ接続されている。幹線５１における各分岐線５２の分岐点には、分岐器６が設けられている。
【００１７】
図１に示すように、子機１は、第１制御部１１と、第１画像処理部１２と、第１表示部１３と、第１通話処理部１４と、第１操作部１５と、第１通信部１６とを備える。
【００１８】
第１制御部１１は、ＣＰＵ（Central Processing Unit）及びメモリ等のハードウェアと、ＣＰＵで実行されるソフトウェア（プログラム）とで構成される。第１制御部１１は、第１画像処理部１２、第１通話処理部１４、及び第１通信部１６を制御する。第１制御部１１は、たとえば、第１通話処理部１４を制御することによって、住戸Ａ１の居住者と来訪者との親機２を介した通話を制御する。また第１制御部１１は、第１通信部１６からの制御信号に応じて、第１通話処理部１４や第１画像処理部１２を動作させる。
【００１９】
第１画像処理部１２は、第１表示部１３を駆動して第１表示部１３に画像を表示させる。第１表示部１３は、たとえば液晶ディスプレイや有機ＥＬ（Electro Luminescence）ディスプレイなどの表示デバイスを備えている。
【００２０】
第１通話処理部１４は、第１マイクロホン１４１と、第１スピーカ１４２とに接続されている。第１通話処理部１４は、第１マイクロホン１４１で集音される音声を元に音声信号を生成し、生成した音声信号を第１通信部１６に出力する。また、第１通話処理部１４は、第１通信部１６からの音声信号を元に、第１スピーカ１４２から音声を出力させる。
【００２１】
第１操作部１５は、来訪者の操作を受け付ける。第１操作部１５はたとえばポインティングデバイスであり、第１表示部１３とともにタッチパネルを構成する。第１操作部１５は、来訪者の操作に応じて、操作内容に応じた制御信号を第１制御部１１へ出力する。第１操作部１５は、たとえば、来訪者の操作に応じて、住戸Ａ１の居住者を呼び出すための呼出信号を第１制御部１１へ出力する。第１操作部１５からの制御信号は、第１制御部１１により、第１通信部１６へ出力される。
【００２２】
第１通信部１６は、第１伝送路４を介して、制御装置３と信号を送受信する。第１通信部１６は、第１通話処理部１４からの音声信号と第１操作部１５からの制御信号との少なくとも一方を含む通信信号を生成し、生成した通信信号を制御装置３に送信する。また第１通信部１６は、制御装置３から音声信号を含む通信信号を受信すると、受信した通信信号に含まれる音声信号を第１通話処理部１４に出力する。また第１通信部１６は、制御装置３から制御信号を含む通信信号を受信すると、受信した通信信号に含まれる制御信号を第１制御部１１に出力する。第１通信部１６が送信する通信信号は、たとえば、来訪者が指定した住戸Ａ１の親機２に割り当てられたアドレスを含む。
【００２３】
図１に示すように、親機２は、第２制御部２１と、第２画像処理部２２と、第２表示部２３と、第２通話処理部２４と、第２操作部２５と、第２通信部２６とを備える。
【００２４】
第２制御部２１は、ＣＰＵ及びメモリ等のハードウェアと、ＣＰＵで実行されるソフトウェア（プログラム）とで構成されている。第２制御部２１は、第２画像処理部２２、第２通話処理部２４、及び第２通信部２６を制御する。第２制御部２１は、たとえば、第２通話処理部２４を制御することによって、来訪者と、住戸Ａ１の居住者との子機１を介した通話を制御する。また第２制御部２１は、第２通信部２６からの制御信号に応じて、第２通話処理部２４や第２画像処理部２２を動作させる。
【００２５】
第２画像処理部２２は、第２表示部２３を駆動して第２表示部２３に画像を表示させる。第２表示部２３は、たとえば液晶ディスプレイや有機ＥＬディスプレイなどの表示デバイスを備えている。
【００２６】
第２通話処理部２４は、第２マイクロホン２４１と、第２スピーカ２４２とに接続されている。第２通話処理部２４は、第２マイクロホン２４１で集音される音声を元に音声信号を生成し、生成した音声信号を第２通信部２６に出力する。また、第２通話処理部２４は、第２通信部２６からの音声信号を元に、第２スピーカ２４２から音声を出力させる。
【００２７】
第２操作部２５は、居住者の操作を受け付ける。第２操作部２５はたとえばポインティングデバイスであり、第２表示部２３とともにタッチパネルを構成する。第２操作部２５は、居住者の操作に応じて、操作内容に応じた制御信号を第２制御部２１へ出力する。第２操作部２５からの制御信号は、第２制御部２１により、第２通信部２６へ出力される。
【００２８】
第２通信部２６は、第２伝送路５を介して、制御装置３と信号を送受信する。第２通信部２６は、第２通話処理部２４からの音声信号と第２操作部２５からの制御信号との少なくとも一方を含む通信信号を生成し、生成した通信信号を制御装置３に送信する。第２通信部２６は、制御装置３から音声信号を含む通信信号を受信すると、受信した通信信号に含まれる音声信号を第２通話処理部２４に出力する。また第２通信部２６は、制御装置３から制御信号を含む通信信号を受信すると、受信した通信信号に含まれる制御信号を第２制御部２６に出力する。第２通信部２６が送信する通信信号は、たとえば、子機１のアドレスや、後述する第１電気機器７１、第２電気機器７２のアドレスを含む。
【００２９】
制御装置３は、図１に示すように、制御部３０を備えている。
【００３０】
制御部３０は、ＣＰＵ及びメモリ等のハードウェアと、ＣＰＵで実行されるソフトウェア（プログラム）とで構成されている。制御部３０は、第１伝送路４を介して、子機１の第１通信部１６に接続されている。また制御部３０は、第２伝送路５を介して、複数の親機２の第２通信部２６に接続されている。
【００３１】
制御部３０は、第１通信部１６から送信される通信信号を受信する。そして、制御部３０は、受信した通信信号に含まれるアドレスに対応する住戸Ａ１の親機２に向けて、この通信信号を送信する。また、制御部３０は、第２通信部２６から送信される通信信号を受信し、この通信信号を子機１に向けて送信する。これにより、制御装置３は、来訪者に呼び出された住戸Ａ１の親機２と子機１とを接続し、両者間での通信（通話）を中継する。
【００３２】
図２に示すように、制御装置３は、複数（図２の例では４つ）のシリアルポート３１〜３４（第１のシリアルポート３１、第２のシリアルポート３２、第３のシリアルポート３３、第４のシリアルポート３４）を備えている。複数のシリアルポート３１〜３４は、制御部３０に接続されている。複数のシリアルポート３１〜３４の各々には、外部の電気機器（第１電気機器７１又は第２電気機器７２）が接続される。
【００３３】
複数のシリアルポート３１〜３４のうち、第１のシリアルポート３１及び第２のシリアルポート３２の各々は、第１の通信規格に適合する第１電気機器７１と制御部３０との間の通信のみを許容する第１固定ポート３１０である。第４のシリアルポート３４は、第１の通信規格とは異なる第２の通信規格に適合する第２電気機器７２と制御部３０との間の通信のみを許容する第２固定ポート３２０である。第３のシリアルポート３３は、第１電気機器７１と制御部３０との間の通信を許容する第１状態と、第２電気機器７２と制御部３０との間の通信を許容する第２状態との間で切り換わる切換ポート３３０である。
【００３４】
第１の通信規格は、たとえばＲＳ−４２２（ＥＩＡ−４２２）である。第２の通信規格は、たとえばＲＳ−２３２Ｃ（ＥＩＡ−２３２／ＴＩＡ−２３２）である。第１電気機器７１としては、たとえば、集合住宅の共同玄関などに設置されている宅配ボックスや、集合住宅のエレベーターの動作を制御するエレベーター制御装置、集合住宅の駐車場に設置されている充電スタンドを制御する電動車両充電制御装置などがある。第２電気機器７２としては、たとえば、外部の管理会社に電話回線などを介して接続されている外部通報機などがある。
【００３５】
図２に示すように、第１固定ポート３１０（第１のシリアルポート３１、第２のシリアルポート３２）は、第１コネクタ３１１Ａと、第１変換器３１２Ａとを備えている。第１変換器３１２Ａは、第１コネクタ３１１Ａに接続されている。第１コネクタ３１１Ａには、第１電気機器７１が接続される。第１変換器３１２Ａは、制御部３０からの信号（たとえば、ＣＰＵに組み込まれているＵＡＲＴ（Universal Asynchronous Receiver/Transmitter）からの信号）を、第１通信規格に従う信号に変換する。また、第１変換器３１２Ａは、第１コネクタ３１１Ａに接続された第１電気機器７１からの第１通信規格に従う信号を、制御部３０が処理する信号に変換する。すなわち、第１変換器３１２Ａは、第１通信規格に従う信号と制御部３０が処理する信号との間の変換を行う。
【００３６】
第２固定ポート３２０（第４のシリアルポート３４）は、第２コネクタ３２１Ａと、第２変換器３２２Ａとを備える。第２変換器３２２Ａは、第２コネクタ３２１Ａに接続されている。第２コネクタ３２１Ａには、第２電気機器７２が接続される。第２変換器３２２Ａは、制御部３０からの信号を、第２通信規格に従う信号に変換する。また、第２変換器３２２Ａは、第２コネクタ３２１Ａに接続された第２電気機器７２からの第２通信規格に従う信号を、制御部３０が処理する信号に変換する。すなわち、第２変換器３２２Ａは、第２通信規格に従う信号と制御部３０が処理する信号との間の変換を行う。
【００３７】
切換ポート３３０（第３のシリアルポート３３）は、第１コネクタ３１１Ｂと、第２コネクタ３２１Ｂと、第１変換器３１２Ｂと、第２変換器３２２Ｂと、スイッチ３３１と、を備える。
【００３８】
第１変換器３１２Ｂは、第１コネクタ３１１Ｂに接続されている。第１コネクタ３１１Ｂには、第１電気機器７１が接続される。第１変換器３１２Ｂは、第１変換器３１２Ａと同様に、第１通信規格に従う信号と制御部３０が処理する信号との間の変換を行う。
【００３９】
第２変換器３２２Ｂは、第２コネクタ３２１Ｂに接続されている。第２変換器３２２Ｂは、第２変換器３２２Ａと同様に、第２通信規格に従う信号と制御部３０が処理する信号との間の変換を行う。
【００４０】
スイッチ３３１は三路スイッチであり、３つの端子を含む。スイッチ３３１の共通端子は、制御部３０に接続されている。スイッチ３３１の残りの２つの端子は、第１変換器３１２Ｂと第２変換器３２２Ｂとにそれぞれ接続されている。すなわちスイッチ３３１は、制御部３０を、第１変換器３１２Ｂと第２変換器３２２Ｂとに択一的に接続する。
【００４１】
また図３Ａ、図３Ｂに示すように、スイッチ３３１は、外部から操作するための操作部３３１０を備えている。スイッチ３３１は、操作部３３１０への操作に応じて（直接的に）接続先が切り換えられる。切換ポート３３０は、スイッチ３３１の操作部３３１０が操作されることで、制御部３０を第１変換器３１２Ｂに接続する第１状態（図３Ａ参照）と制御部３０を第２変換器３２２Ｂに接続する第２状態（図２，図３Ｂ参照）との間で切り換わる。切換ポート３３０は、第１状態では、制御部３０を第１変換器３１２Ｂに接続することで、第１通信規格に適合する第１電気機器７１と制御部３０との間の通信を許容する。また切換ポート３３０は、第２状態では、制御部３０を第２変換器３２２Ｂに接続することで、第２通信規格に適合する第２電気機器７２と制御部３０との間の通信を許容する。
【００４２】
第１電気機器７１は、第１コネクタ（３１１Ａ、３１１Ｂ）及び第１変換器（３１２Ａ、３１２Ｂ）を介して、制御装置３との間で信号を送受信する。第１電気機器７１は、たとえば、子機１及び／又は親機２に割り当てられた一以上のアドレス及び操作入力に応じた制御信号を含む通信信号を生成し、生成した通信信号を制御装置３に送信する。
【００４３】
第２電気機器７２は、第２コネクタ（３２１Ａ、３２１Ｂ）及び第２変換器（３２２Ａ、３２２Ｂ）を介して制御装置３との間で信号を送受信する。第２電気機器７２は、たとえば、子機１及び／又は親機２に割り当てられた一以上のアドレス及び操作入力に応じた制御信号を含む通信信号を生成し、生成した通信信号を制御装置３に送信する。
【００４４】
制御部３０は、第１電気機器７１又は第２電気機器７２からの通信信号を受信すると、受信した通信信号に含まれるアドレスに対応する子機１及び／又は親機２に向けて、この通信信号を送信する。
【００４５】
また制御部３０は、第１電気機器７１又は第２電気機器７２のアドレスを含む通信信号を、親機２から受信すると、受信した通信信号に含まれるアドレスに対応する第１電気機器７１又は第２電気機器に向けて、この通信信号を送信する。
【００４６】
たとえば、第１電気機器７１としての宅配ボックスは、第１固定ポート３１０（第１のシリアルポート３１、第２のシリアルポート３２）と切換ポート３３０（第３のシリアルポート３３）とのうちの何れかに接続される。たとえば、ある住戸Ａ１の親機２に関連付けられた宅配ボックスは、荷物が届いた場合、その親機２のアドレス及び荷物が届いたことを示す情報を含む通信信号を、制御装置３に送信する。制御装置３は、この通信信号を受信すると、受信した通信信号に含まれるアドレスに対応する親機２に向けて、この通信信号を送信する。アドレスに対応する親機２は、この通信信号を受信すると、第２画像処理部２２を動作させて、宅配ボックスに荷物が届いたことを示す画像を第２表示部２３に表示させる。また親機２は、第２通話処理部２４を動作させて、宅配ボックスに荷物が届いた旨の音声を第２スピーカ２４２から出力させてもよい。
【００４７】
たとえば、第１電気機器７１としてのエレベーター制御装置は、第１固定ポート３１０（第１のシリアルポート３１、第２のシリアルポート３２）と切換ポート３３０（第３のシリアルポート３３）とのうちの何れかに接続される。たとえば、ある住戸Ａ１の居住者が、来訪者による子機１からの呼出に応じて、親機２を操作して住戸Ａ１のオートドアの電気錠を解錠したとする。この場合、この親機２は、自身のアドレス、エレベーター制御装置のアドレス、及び電気錠が解錠されたことを示す情報を含む通信信号を、制御装置３に送信する。制御装置３は、この通信信号を受信すると、エレベーター制御装置に向けてこの通信信号を送信する。エレベーター制御装置は、この通信信号を受信すると、受信した通信信号に含まれる親機２のアドレスに対応付けられた階（この親機２が取り付けられた住戸Ａ１がある階）が行き先となるように、エレベーターを制御する。
【００４８】
たとえば、第１電気機器７１としての電動車両充電制御装置は、第１固定ポート３１０（第１のシリアルポート３１、第２のシリアルポート３２）と切換ポート３３０（第３のシリアルポート３３）とのうちの何れかに接続される。たとえば、電動車両充電制御装置は、ある充電スタンドに接続された電動車両の充電が完了すると、この充電スタンドに対応付けられた親機２のアドレスと充電が完了したことを示す情報を含む通信信号を、制御装置３に送信する。制御装置３は、この通信信号を受信すると、受信した通信信号に含まれるアドレスに対応する親機２に向けて、この通信信号を送信する。アドレスに対応する親機２は、この通信信号を受信すると、第２画像処理部２２を動作させて、電動車両の充電が完了したことを示す画像を第２表示部２３に表示させる。また親機２は、第２通話処理部２４を動作させて、電動車両の充電が完了した旨の音声を第２スピーカ２４２から出力させてもよい。
【００４９】
たとえば、第２電気機器７２としての外部通報機は、第２固定ポート３２０（第４のシリアルポート３１）と切換ポート３３０（第３のシリアルポート３３）とのうちの何れかに接続される。たとえば制御装置３は、子機１又は親機２から、不審者の発生を示す情報を含む通信信号を受信すると、外部通報機に向けてこの通信信号を送信する。
【００５０】
本実施形態の制御装置３は、たとえば、通常は切換ポート３３０（第３のシリアルポート３３）を第２状態に切り換えておくことで、第１電気機器７１及び第２電気機器７２を２つずつ接続可能な状態で用いられる。この状態で、第１電気機器７１をさらに接続したいという要望が生じれば、切換ポート３３０（第３のシリアルポート３３）を第１状態に切り換えることで、第１電気機器７１を３つ、第２電気機器７２を１つ接続可能な状態で用いることができる。
【００５１】
上記のように、本実施形態の制御装置３は、切換ポート３３０を少なくとも１つ（本実施形態では１つ）備えている。切換ポート３３０は、第１電気機器７１と制御部３０との間の通信を許容する第１状態と、第２電気機器７２と制御部３０との間の通信を許容する第２状態との間で切り換わる。したがって、切換ポート３３０の状態を切り換えることで、切換ポート３３０に、通信規格の異なる２つの電気機器（第１電気機器７１、第２電気機器７２）のうちの所望の一方の電気機器を接続することができる。すなわち、本実施形態の制御装置３によれば、集合住宅での用途に応じて、所望の複数の電気機器を接続できる可能性が高くなる。また、制御装置３の限られた数のシリアルポートを、有効に利用することができる。
【００５２】
なお、切換ポート３３０は、上記の構成に限られない。たとえばスイッチ３３１は、制御装置３に設けられたタッチパネル式の設定画面への操作に応じて、接続先が切り換えられる構成でもよい。あるいは、スイッチ３３１は、制御装置３に接続された外部機器（たとえば、管理室に設置されている管理室親機）に設けられたタッチパネル式の設定画面への操作に応じて、（間接的に）接続先が切り換えられる構成でもよい。すなわち、スイッチ３３１は、直接的又は間接的に制御装置３で設定された内容に応じて、接続先が切り換えられてもよい。あるいは、切換ポート３３０は、スイッチ３３１を備えずに変換器及びコネクタを１つずつだけ備え、内蔵のソフトウェアで変換器の動作を切り換えることで第１状態と第２状態とが切り替えられる構成であってもよい。
【００５３】
以上説明したように、本実施形態の制御装置３は、インターホン子機１とインターホン親機２との間で行われる通信を制御する制御部３０と、制御部３０に接続される複数のシリアルポート３１〜３４とを備える。インターホン子機１は、集合住宅の共用部に設置される。インターホン親機２は、集合住宅の住戸Ａ１に設置される。複数のシリアルポート３１〜３４は、切換ポート３３０（第３のシリアルポート３３）を少なくとも一つ含む。切換ポート３３０は、第１通信規格に適合する第１電気機器７１と制御部３０との間の通信を許容する第１状態と、第１通信規格とは異なる第２通信規格に適合する第２電気機器７２と制御部３０との間の通信を許容する第２状態との間で切り換わる。
【００５４】
この制御装置３によれば、切換ポート３３０の状態を切り換えることで、切換ポート３３０に、通信規格の異なる２つの電気機器（第１電気機器７１、第２電気機器７２）のうちの所望の一方の電気機器を接続することができる。すなわち、本実施形態の制御装置３によれば、集合住宅での用途に応じて所望の複数の電気機器を接続できる可能性が高くなる。また、制御装置３の限られた数のシリアルポートを、有効に利用することができる。
【００５５】
本実施形態の制御装置３では、複数のシリアルポート３１〜３４は、第１固定ポート３１０（第１のシリアルポート３１、第２のシリアルポート３２）を少なくとも一つ含む。第１固定ポート３１０は、制御部３０と第１電気機器７１との間の通信のみを許容する。
【００５６】
これにより、第１固定ポート３１０を少なくとも一つ確保しつつ、集合住宅での用途に応じて所望の複数の電気機器を接続できる可能性が高くなる。
【００５７】
本実施形態の制御装置３では、複数のシリアルポート３１〜３４は、第１固定ポート３１０（第１のシリアルポート３１、第２のシリアルポート３２）を少なくとも一つ含み、第２固定ポート３２０（第４のシリアルポート３４）を少なくとも一つ含む。第１固定ポート３１０は、制御部３０と第１電気機器７１との間の通信のみを許容する。第２固定ポート３２０は、制御部３０と第２電気機器７２との間の通信のみを許容する。
【００５８】
これにより、第１固定ポート３１０及び第２固定ポート３２０を少なくとも一つずつ確保しつつ、集合住宅での用途に応じて所望の複数の電気機器を接続できる可能性が高くなる。
【００５９】
本実施形態の制御装置３では、切換ポート３３０は、第１コネクタ３１１Ｂと、第２コネクタ３２１Ｂと、第１変換器３１２Ｂと、第２変換器３２２Ｂと、スイッチ３３１と、を備える。第１コネクタ３１１Ｂには、第１電気機器７１が接続される。第２コネクタ３２１Ｂには、第２電気機器７２が接続される。第１変換器３１２Ｂは、第１コネクタ３１１Ｂに接続され、第１通信規格に従う信号と制御部３０が処理する信号との間の変換を行う。第２変換器３２２Ｂは、第２コネクタ３２１Ｂに接続され、第２通信規格に従う信号と制御部３０が処理する信号との間の変換を行う。スイッチ３３１は、制御部３０を、第１変換器３１２Ｂと第２変換器３２２Ｂとに択一的に接続する。
【００６０】
これにより、簡単な構成で、集合住宅での用途に応じて所望の複数の電気機器を制御装置３に接続できる可能性が高くなる。また、第１通信規格の信号形式、第２通信規格の信号形式、制御部３０が処理する信号の信号形式が異なる場合でも、変換器で信号を変換することにより、制御部３０と第１電気機器７１又は第２電気機器７２との間で通信を行うことができる。
【００６１】
本実施形態のインターホンシステム１００は、制御装置３と、インターホン子機１と、インターホン親機２と、制御装置３とインターホン子機１とを接続する第１伝送路４と、制御装置３とインターホン親機２とを接続する第２伝送路５と、を備える。
【００６２】
このインターホンシステム１００によれば、集合住宅での用途に応じて所望の複数の電気機器を制御装置３に接続できる可能性が高くなる。
【符号の説明】
【００６３】
１  インターホン子機
２  インターホン親機
３  制御装置
３０  制御部
３１〜３４  複数のシリアルポート
３１０  第１固定ポート
３２０  第２固定ポート
３３０  切換ポート
３１１Ａ，３１１Ｂ  第１コネクタ
３２１Ａ，３２１Ｂ  第２コネクタ
３１２Ａ，３１２Ｂ  第１変換器
３２２Ａ，３２２Ｂ  第２変換器
３３１  スイッチ
４  第１伝送路
５  第２伝送路
７１  第１電気機器
７２  第２電気機器
１００  インターホンシステム
【図１】
2017208623.tif 000003
【図２】
2017208623.tif 000004
【図３】
2017208623.tif 000005